(57)【要約】【課題】  本発明の課題は、書籍購入者が、選択して所望した記事のみを部分的に購入可能にする書籍販売システムを提供することである。【解決手段】  記事データ・ベースから検索した記事は、書籍部分購入端末装置の記事試読手段で、限定された時間だけ試読した後に、試読した記事の中から、部分購入する記事を選択して、次に、部分購入した記事は、選択した編集テンプレートに従って、表紙と所定の広告を加えて、書籍に編集する、書籍部分購入および販売システムである。【選択図】  図１
2006106915.tif 000002
【特許請求の範囲】
【請求項１】
書籍部分購入端末装置と書籍部分販売装置がネットワーク接続されている書籍部分購入および販売システムにおいて、
前記書籍部分購入端末装置は、
記事データ・ベースから所望の記事を検索するために、検索語を入力する記事検索手段と、
検索して得た記事を、コピーできない状態に保持して、限定された時間のみ表示して、記事を試読する記事試読手段と、
試読した記事の中から、購入する記事を選択する購入記事選択手段と、
部分購入書籍を購入する書籍購入手段と、
を備えた書籍部分購入端末装置であって、
前記書籍部分販売装置は、
検索語で検索した記事を試読用として、記事購入端末装置に提供する試読記事提供手段と、
選択された記事を、部分購入書籍に編集して、部分購入書籍編集データを作成する書籍編集手段と、
記事データ・ベースを記憶する記憶手段と、
を備えた書籍部分販売装置であって、
書籍部分販売装置の試読記事提供手段が、書籍部分購入端末装置の記事検索手段の検索語を用いて、記事データ・ベースから検索した記事は、書籍部分購入端末装置の記事試読手段で、限定された時間だけ試読した後に、試読した記事の中から、購入する記事を選択して、書籍部分販売装置の書籍編集手段は、購入した記事を、部分購入書籍に編集して、書籍部分購入端末装置の書籍購入手段は、この部分購入書籍を購入する書籍部分購入および販売システム。
【請求項２】
書籍部分購入端末装置と書籍部分販売装置がネットワーク接続されている書籍部分購入および販売システムにおいて、
前記書籍部分購入端末装置は、
記事データ・ベースから所望の記事を検索するために、検索語を入力する記事検索手段と、
検索して得た記事を、コピーできない状態に保持して、限定された時間のみ表示して、記事を試読する記事試読手段と、
試読した記事の中から、購入する記事を選択する購入記事選択手段と、
部分購入する記事に装丁する表紙の表紙データを表紙データ・ベースから選択する表紙選択手段と、
部分購入する記事を部分購入書籍に編集するために、編集体裁を定義している編集テンプレートを選択する編集テンプレート選択手段と、
部分購入書籍データを購入する書籍購入手段と、
を備えた書籍部分購入端末装置であって、
前記書籍部分販売装置は、
検索語で検索した記事を試読用として、記事購入端末装置に提供する試読記事提供手段と、
選択された編集テンプレートに従って、記事や表紙や広告を、部分購入書籍に編集して、部分購入書籍編集データを作成する書籍編集手段と、
部分購入書籍編集データから、部分購入書籍を印刷する書籍印刷手段と、
記事データ・ベース、広告データ・ベース、表紙データ・ベース、編集テンプレートデータ・ベース、部分購入書籍編集データを記憶する記憶手段と、
を備えた書籍部分販売装置であって、
書籍部分購入端末装置の記事検索手段の検索語を用いて、書籍部分販売装置の試読記事提供手段により、記事データ・ベースから検索した記事は、書籍部分購入端末装置の記事試読手段で、限定された時間だけ試読した後に、試読した記事から、部分購入する記事を選択して、同時に、表紙選択手段で表紙を選択して、編集テンプレート選択手段で編集テンプレートを選択して、次に、書籍部分販売装置の書籍編集手段は、選択した編集テンプレートに従って、部分購入した記事と表紙と所定の広告を、部分購入書籍に編集して、部分購入書籍編集データを作成して、記憶する書籍部分購入および販売システム。
【請求項３】
前記記事試読手段は、所定の時間が経過したら表示している記事情報を消去することで、定められた短時間のみ表示することを特徴とする請求項１、または、請求項２に記載の書籍部分購入および販売システム。
【請求項４】
前記記事試読手段は、コピープログラムや保存プログラムが起動したら強制的に停止させてコピーや保存をさせないことを特徴とする請求項１、または、請求項２に記載の書籍部分購入および販売システム。
【請求項５】
前記書籍部分購入端末装置は、
部分購入する記事に装丁する表紙の表紙データを表紙データ・ベースに登録する表紙データ登録手段
を備えることを特徴とする請求項２に記載の書籍部分購入および販売システム。
【請求項６】
前記書籍部分販売装置は、
前記書籍印刷手段の代わりに、編集した書籍を電子書籍として送信する電子書籍配信手段を備えることを特徴とする請求項２に記載の書籍部分購入および販売システム。
【請求項７】
前記書籍部分販売装置は、
記憶手段に、購入履歴データ・ベースと、顧客データ・ベースを記憶して、
購買者情報と関連付けて、購入情報を、購入履歴データ・ベースに登録する購入履歴登録手段と、
書籍部分購入予定の購買者情報を、顧客データ・ベースに登録する顧客情報登録手段と、
部分購入した記事の内容と関連性が高い未購入記事を推奨する案内を送信する推奨記事案内手段と、
を備えた書籍部分販売装置であることを特徴とする請求項１から請求項３に記載の書籍部分購入および販売システム。
【請求項８】
前記推奨記事案内手段は、連載記事の購入者に、次号が発売される時に、通知することを特徴とする請求項７に記載の書籍部分購入および販売システム。
【請求項９】
記事データ・ベース、広告データ・ベース、表紙データ・ベース、編集テンプレートデータ・ベース、部分購入書籍編集データ、購入履歴データ・ベース、顧客データ・ベースを記憶する記憶ステップと、
部分購入する記事に装丁する表紙の表紙データを表紙データ・ベースに登録する表紙データ登録ステップと、
検索語を入力して、記事データ・ベースから所望の記事を検索する記事検索ステップと、
検索語で検索した記事を、コピープログラムや保存プログラムが起動したら強制的に停止させてコピーや保存ができない状態に保持して、所定の時間が経過したら表示している記事情報を消去することで、定められた時間のみ表示することで、記事を試読する記事試読ステップと、
試読した記事の中から、部分購入する記事を選択する購入記事選択ステップと、
部分購入する記事に装丁する表紙の表紙データを表紙データ・ベースから選択する表紙選択ステップと、
部分購入する記事を部分購入書籍に編集するために、編集体裁を定義している編集テンプレートを選択する編集テンプレート選択ステップと、
選択された編集テンプレートに従って、購入した記事や表紙や広告を、部分購入書籍に編集して、部分購入書籍編集データを作成する書籍編集ステップと、
作成した部分購入書籍編集データを送信する電子書籍配信ステップと、
作成した部分購入書籍編集データから、部分購入書籍を印刷する書籍印刷ステップと、
書籍部分購入予定購買者の購買者情報を、顧客データ・ベースに登録する顧客情報登録ステップと、
購入情報を、購買者情報と関連付けて、購入履歴データ・ベースに登録する購入履歴登録ステップと、
部分購入した記事の内容と関連性が高い未購入記事を推奨する案内を送信する推奨記事案内ステップと、
を含んだ手順でなされることを特徴とする書籍部分購入および販売方法。
【請求項１０】
コンピュータに組込むことによって、コンピュータを請求項１から請求項８のいずれか一項に記載の書籍部分購入および販売システムとして動作させるコンピュータプログラム。
【発明の詳細な説明】
【技術分野】
【０００１】
本発明は、必要としない記事が他に多数あったとしても、所望する記事を購入する場合は書籍全体を購入しなければならないことに対し、購入者が選択して所望する記事のみの書籍の部分購入を可能にする書籍の販売システムに関するものである。
【背景技術】
【０００２】
従来、ネットワークを介して、書籍を購入する場合は、必要としない記事が他に多数あったとしても、書籍全体を購入しなければならなかった。
一方、書籍のバックナンバーを、インターネットのようなネットワーク経由で購入する形態もあるが、必要な記事を電子データで受信するので、印刷物にして受け取ることが出来ない。
【０００３】
たとえば、特許文献１には、書籍データベースを格納しておき、購入者が希望するタイトルを選択して、書籍に印刷して、購入者に手渡す書籍販売装置を提供する技術が開示されている。また、特許文献２には、購入者が希望するタイトルを大きな見だしと小見出しの２段階で選択して、書籍のデジタルデータを購入者に送信する電子取引方法を提供する技術が開示されている。
【特許文献１】特開２００１−３５０９８０号公報（２〜６頁、図１〜１２）
【特許文献２】特開２００１−３３１６７２号公報（２〜４頁、図１〜２）
【発明の開示】
【発明が解決しようとする課題】
【０００４】
しかし、前述した従来の書籍の部分購入では、特許文献１や特許文献２のように、選択記事の内容確認が出来ずに、購入するという不便が生じていた。また、部分購入した書籍の体裁を編集したいという購入者の要求にこたえられないという問題があった。更に、広告収入による販売価格の低価格化を想定していない。特許文献１の書籍販売装置は、複写機であるので、大量部数の印刷には、印刷性能や製造コストの面で不向きである。
【０００５】
本発明は、このような従来技術を考慮してなされたものであって、本発明の課題は、書籍購入者が、所望して選択した記事のみを、部分的に購入可能にする書籍の部分購入および販売システムを提供することである。
【課題を解決するための手段】
【０００６】
本発明は、以下のような解決手段により、前記課題を解決する。すなわち、請求項１に記載の発明は、書籍部分購入端末装置と書籍部分販売装置がネットワーク接続されている書籍部分購入および販売システムにおいて、書籍部分購入端末装置は、記事データ・ベースから所望の記事を検索するために、検索語を入力する記事検索手段と、検索して得た記事を、コピーできない状態に保持して、限定された時間のみ表示して、記事を試読する記事試読手段と、試読した記事の中から、購入する記事を選択する購入記事選択手段と、部分購入書籍を購入する書籍購入手段と、を備えた書籍部分購入端末装置であって、書籍部分販売装置は、検索語で検索した記事を試読用として、記事購入端末装置に提供する試読記事提供手段と、選択された記事を、部分購入書籍に編集して、部分購入書籍編集データを作成する書籍編集手段と、記事データ・ベースを記憶する記憶手段と、を備えた書籍部分販売装置であって、書籍部分販売装置の試読記事提供手段が、書籍部分購入端末装置の記事検索手段の検索語を用いて、記事データ・ベースから検索した記事は、書籍部分購入端末装置の記事試読手段で、限定された時間だけ試読した後に、試読した記事の中から、購入する記事を選択して、書籍部分販売装置の書籍編集手段は、購入した記事を、部分購入書籍に編集して、書籍部分購入端末装置の書籍購入手段は、この部分購入書籍を購入する書籍部分購入および販売システムである。
【０００７】
請求項２に記載の発明は、書籍部分購入端末装置と書籍部分販売装置がネットワーク接続されている書籍部分購入および販売システムにおいて、書籍部分購入端末装置は、記事データ・ベースから所望の記事を検索するために、検索語を入力する記事検索手段と、検索して得た記事を、コピーできない状態に保持して、限定された時間のみ表示して、記事を試読する記事試読手段と、試読した記事の中から、購入する記事を選択する購入記事選択手段と、部分購入する記事に装丁する表紙の表紙データを表紙データ・ベースから選択する表紙選択手段と、部分購入する記事を部分購入書籍に編集するために、編集体裁を定義している編集テンプレートを選択する編集テンプレート選択手段と、部分購入書籍データを購入する書籍購入手段と、を備えた書籍部分購入端末装置であって、書籍部分販売装置は、検索語で検索した記事を試読用として、記事購入端末装置に提供する試読記事提供手段と、選択された編集テンプレートに従って、記事や表紙や広告を、部分購入書籍に編集して、部分購入書籍編集データを作成する書籍編集手段と、部分購入書籍編集データから、部分購入書籍を印刷する書籍印刷手段と、記事データ・ベース、広告データ・ベース、表紙データ・ベース、編集テンプレートデータ・ベース、部分購入書籍編集データを記憶する記憶手段と、
を備えた書籍部分販売装置であって、
書籍部分購入端末装置の記事検索手段の検索語を用いて、書籍部分販売装置の試読記事提供手段により、記事データ・ベースから検索した記事は、書籍部分購入端末装置の記事試読手段で、限定された時間だけ試読した後に、試読した記事から、部分購入する記事を選択して、同時に、表紙選択手段で表紙を選択して、編集テンプレート選択手段で編集テンプレートを選択して、次に、書籍部分販売装置の書籍編集手段は、選択した編集テンプレートに従って、部分購入した記事と表紙と所定の広告を、部分購入書籍に編集して、部分購入書籍編集データを作成して、記憶する書籍部分購入および販売システムである。
【０００８】
請求項３に記載の発明は、前記記事試読手段は、所定の時間が経過したら表示している記事情報を消去することで、定められた短時間のみ表示することを特徴とする請求項１、または、請求項２に記載の書籍部分購入および販売システムである。
【０００９】
請求項４に記載の発明は、前記記事試読手段は、コピープログラムや保存プログラムが起動したら強制的に停止させてコピーや保存をさせないことを特徴とする請求項１、または、請求項２に記載の書籍部分購入および販売システムである。
【００１０】
請求項５に記載の発明は、書籍部分購入端末装置が、部分購入する記事に装丁する表紙の表紙データを表紙データ・ベースに登録する表紙データ登録手段を備えることを特徴とする請求項２に記載の書籍部分購入および販売システムである。
【００１１】
請求項６に記載の発明は、前記書籍印刷手段の代わりに、編集した書籍を電子書籍として送信する電子書籍配信手段を備えることを特徴とする請求項２に記載の書籍部分購入および販売システムである。
【００１２】
請求項７に記載の発明は、書籍部分販売装置は、記憶手段に、購入履歴データ・ベースと、顧客データ・ベースを記憶して、購買者情報と関連付けて、購入情報を、購入履歴データ・ベースに登録する購入履歴登録手段と、書籍部分購入予定の購買者情報を、顧客データ・ベースに登録する顧客情報登録手段と、部分購入した記事の内容と関連性が高い未購入記事を推奨する案内を送信する推奨記事案内手段と、を備えた書籍部分販売装置であることを特徴とする請求項１から請求項３に記載の書籍部分購入および販売システムである。
【００１３】
請求項８に記載の発明は、前記推奨記事通知手段は、連載記事の購入者に、次号が発売される時に、通知することを特徴とする請求項７に記載の書籍部分購入および販売システム
である。
【００１４】
請求項９に記載の発明は、記事データ・ベース、広告データ・ベース、表紙データ・ベース、編集テンプレートデータ・ベース、部分購入書籍編集データ、購入履歴データ・ベース、顧客データ・ベースを記憶する記憶ステップと、部分購入する記事に装丁する表紙の表紙データを表紙データ・ベースに登録する表紙データ登録ステップと、検索語を入力して、記事データ・ベースから所望の記事を検索する記事検索ステップと、検索語で検索した記事を、コピープログラムや保存プログラムが起動したら強制的に停止させてコピーや保存ができない状態に保持して、所定の時間が経過したら表示している記事情報を消去することで、定められた時間のみ表示することで、記事を試読する記事試読ステップと、試読した記事の中から、部分購入する記事を選択する購入記事選択ステップと、部分購入する記事に装丁する表紙の表紙データを表紙データ・ベースから選択する表紙選択ステップと、部分購入する記事を部分購入書籍に編集するために、編集体裁を定義している編集テンプレートを選択する編集テンプレート選択ステップと、選択された編集テンプレートに従って、購入した記事や表紙や広告を、部分購入書籍に編集して、部分購入書籍編集データを作成する書籍編集ステップと、作成した部分購入書籍編集データを送信する電子書籍配信ステップと、作成した部分購入書籍編集データから、部分購入書籍を印刷する書籍印刷ステップと、書籍部分購入予定購買者の購買者情報を、顧客データ・ベースに登録する顧客情報登録ステップと、購入情報を、購買者情報と関連付けて、購入履歴データ・ベースに登録する購入履歴登録ステップと、部分購入した記事の内容と関連性が高い未購入記事を推奨する案内を送信する推奨記事案内ステップと、を含んだ手順でなされることを特徴とする書籍部分購入および販売方法である。
【００１５】
請求項１０に記載の発明は、コンピュータに組込むことによって、コンピュータを請求項１から請求項８のいずれか一項に記載の書籍部分購入および販売システムとして動作させるコンピュータプログラムである。
【発明の効果】
【００１６】
本願発明によれば、書籍の部分購入に当っては、記事の内容を確認してから購入することが可能であり、確実の所望の記事を購入することが可能となった。また、部分購入書籍は、記事を所望の体裁に編集することで、読みやすい体裁の書籍にして、購入が可能になった。更に、広告を掲載することで、廉価な販売価格を実現できた。目的に応じて、多様なメディアで部分購入書籍の提供を実現した。つまり、部分購入書籍を少部数印刷する場合は、複写機で、容易簡便にプリントして、大量部数印刷する場合は、印刷発注して、製造コストの低減を実現した。また、部分購入書籍の内容をデジタルデータで受け取ることを実現した。
【発明を実施するための最良の形態】
【００１７】
以下、図面等を参照しながら、本発明の実施の形態について、更に詳しく説明する。図１は、本発明による書籍部分購入および販売システムの構成図である。書籍部分販売装置１０は、試読記事提供手段１１と、書籍編集手段１２と、書籍印刷手段１３と、電子書籍配信手段１４と、購入履歴登録手段１５と、記憶手段１６と、推奨記事通知手段１７と、を備える。記憶手段１６は、記事データ・ベース１６ａと、広告データ・ベース１６ｂと、表紙データ・ベース１６ｃと、編集テンプレートデータ・ベース１６ｄと、購入履歴データ・ベース１６ｅと、顧客データ・ベース１６ｆと、部分購入書籍編集デー タ１６ｇと、を記憶する。書籍部分購入端末装置２０は、記事検索手段２１と、記事試読手段２２と、表紙データ登録手段２３と、購入記事選択手段２４と、表紙選択手段２５と、編集テンプレート選択手段２６と、書籍購入手段２７と、顧客情報登録手段２９と、を備える。記事データ・ベース１６ａｂには、出版社９１が書籍記事データを登録する。広告データ・ベース１６ｂには、広告主９２が広告データを登録する。表紙データ・ベース１６ｃには、購入者９４が表紙データを登録する。編集テンプレートデータ・ベース１６ｄには、書籍編集用のテンプレートが登録されている。購入履歴データ・ベース１６ｅには、購入者の書籍記事を購入履歴情報（たとえば、記事のジャンル、記事タイトル、連載記事番号）を登録する。顧客データ・ベース１６ｆには、書籍記事を購入する購入者の情報（たとえば、購入費用支払い方法、購入者のアドレス）を登録する。
【００１８】
図２は、本発明による書籍部分購入端末装置と書籍部分販売装置間の通信の説明図である。書籍部分購入端末装置２０の記事検索手段２１は、検索キーワードを書籍部分販売装置１０の試読記事提供手段１１に送信する（図２（ア））。書籍部分販売装置１０の試読記事提供手段１１は、検索キーワードを基に、記事データ・ベース（ＤＢ）１６ａで、記事データを検索する（同（イ））。書籍部分販売装置１０の試読記事提供手段１１は、検索結果を、書籍部分購入端末装置２０の記事試読手段２２に渡す（同（ウ））。記事試読手段２２は、受信した記事データを、所定の時間だけ表示させた後に、消去して限定された時間のみ表示させて、コピープログラムや保存プログラムが起動されたら強制的に終了させて、画面情報のコピーや保存を禁止する。書籍部分購入端末装置２０の記事試読手段２２は、書籍部分販売装置１０の試読記事提供手段１１が提供する検索結果の記事データを受け取り、試読する（同（エ））。
【００１９】
書籍部分購入端末装置２０の購入記事選択手段２４は、試読した記事から、記事データを選択して、書籍部分販売装置１０の書籍編集手段１２に通知する（同（オ））。 書籍部分購入端末装置２０の表紙選択手段２５は、表紙ＤＢ１６ｃから、表紙を選択して、書籍編集手段１２に通知する（同（カ））。書籍部分購入端末装置２０の編集テンプレート選択手段２６は、編集ＤＢ１６ｄから、編集テンプレートを選択して、書籍部分販売装置１０の書籍編集手段１２に通知する（同（キ））。書籍部分販売装置１０の書籍編集手段１２は、書籍部分購入端末装置２０の購入記事選択手段２４が選択した記事データと、書籍部分購入端末装置２０の編集テンプレート選択手段２６が選択したテンプレートと、書籍部分購入端末装置２０の表紙選択手段２５が選択した表紙データを受け取り、広告データを用いて、部分購入書籍の編集をして、部分購入書籍編集データ１６ｇを作成する（同（ク））。
【００２０】
書籍部分購入端末装置２０の書籍購入手段２７は、書籍部分販売装置１０の電子書籍配信手段１４に、電子書籍発注して、電子書籍配信手段から、電子書籍デジタル情報である部分購入書籍編集データ１６ｇを受け取る（同（ケ））。書籍部分販売装置１０の電子書籍配信手段１４は、書籍購入手段２７からの指示に従い、所望の部分購入書籍編集データ１６ｇを返信する（同（コ））。
【００２１】
書籍部分購入端末装置２０の書籍購入手段２７は、書籍部分販売装置１０の書籍印刷手段１３に、印刷発注する（同（サ））。書籍部分販売装置１０の書籍印刷手段１３は、書籍部分購入端末装置２０の書籍購入手段２７からの指示に従って、印刷発注する（同（シ））。
【００２２】
書籍部分購入端末装置２０の表紙データ登録手段２３は、表紙データを書籍部分販売装置１０の表紙ＤＢ１６ｃに登録する（同（ナ））。
【００２３】
書籍部分購入端末装置２０の顧客情報登録手段２９は、推奨記事案内を受信するために、アドレスを顧客ＤＢ１６ｆに登録する（同（タ））。書籍部分販売装置１０の購入履歴登録手段１５は、部分購入書籍編集データと顧客ＤＢ１６ｆの情報を加工して、購入履歴情報を購入履歴ＤＢ１６ｅに登録する（同（チ））。書籍部分販売装置１０の推奨記事通知手段１７は、購入履歴ＤＢ１６ｅと、記事ＤＢ１６ａから推奨記事の案内を抽出して、購入者に通知する（同（ツ））。書籍部分購入端末装置２０の記事試読手段２２は、書籍部分販売装置１０の推奨記事通知手段１７から、推奨記事を受信する（同（テ））。
【００２４】
図３は、本発明によるの書籍部分購入および販売システムのフローチャートである。
（１）書籍部分購入端末装置２０の顧客情報登録手段２９は、推奨記事案内を受信するた  めに、アドレスを顧客ＤＢ１６ｆに登録する（ステップＳ３０）。
（２）書籍部分購入端末装置２０の記事検索手段２１は、検索キーワードを書籍部分販売  装置１０の試読記事提供手段１１に送信して、書籍部分販売装置１０の試読記事提供手  段１１は、検索キーワードを基に、記事データ・ベース（ＤＢ）１６ａで、記事データ  を検索して、その検索結果を、書籍部分購入端末装置２０の記事試読手２２段に渡す（  ステップＳ３１）。
（３）書籍部分購入端末装置２０の記事試読手段２２は、書籍部分販売装置１０の試読記  事提供手段１１が提供する検索結果の記事データを受け取り、所定の時間だけ表示させ  て、画面情報のコピーや保存を禁止する（ステップＳ３２））。
（４）書籍部分購入端末装置２０の購入記事選択手段２４は、試読した記事から、記事デ  ータを選択して、書籍部分販売装置１０の書籍編集手段１２に通知する（ステップＳ３  ３）。
（５）書籍部分購入端末装置２０の編集テンプレート選択手段２６は、編集ＤＢ１６ｄか  ら、編集テンプレートを選択して、書籍部分販売装置１０の書籍編集手段１２に通知す  る（ステップＳ３４）。
（６）書籍部分購入端末装置２０の表紙データ登録手段２３は、表紙データを書籍部分販  売装置１０の表紙ＤＢ１６ｃに登録する（ステップＳ３５）。
（７）書籍部分購入端末装置２０の表紙選択手段２５は、表紙ＤＢ１６ｃから、表紙を選  択して、書籍編集手段１２に通知する（ステップＳ３６）。
（８）書籍部分販売装置１０の書籍編集手段１２は、書籍部分購入端末装置２０の購入記  事選択手段２４が選択した記事データと、書籍部分購入端末装置２０の編集テンプレー  ト選択手段２６が選択したテンプレートと、書籍部分購入端末装置２０の表紙選択手段  ２５が選択した表紙データを受け取り、広告データを用いて、部分購入書籍の編集をし  て、部分購入書籍編集データ１６ｇを作成する（ステップＳ３７）。
（９）部分購入書籍をデジタルデータで受け取る時には、書籍部分購入端末装置２０の書  籍購入手段２７は、書籍部分販売装置１０の電子書籍配信手段１４に、指示を与えて、  所望の部分購入書籍編集データ１６ｇの返信を受けとり（ステップＳ３１１）、（１１  ）に進む。印刷物で受け取る時には、次に進む。
（１０）書籍部分購入端末装置２０の書籍購入手段２７は、書籍部分販売装置１０の書籍  印刷手段１３に、印刷発注する（ステップＳ３１０）。
（１１）書籍部分販売装置１０の購入履歴登録手段１５は、部分購入書籍編集データと顧  客ＤＢ１６ｆの情報を加工して、購入履歴情報を購入履歴ＤＢ１６ｅに登録を行って、  書籍部分販売装置１０の推奨記事通知手段１７は、購入履歴ＤＢ１６ｅと、記事ＤＢ１  ６ａから推奨記事を抽出して、購入者に通知して、書籍部分購入端末装置２０の記事試  読手段２２は、推奨記事を受信する（ステップＳ３１２）。
【００２５】
図４は、本発明による書籍部分購入および販売システムの装置構成例である。書籍部分購入端末装置２０は、書店店頭に設置した専用装置４１である。書店店頭に設置した専用装置４１には、プリンタ４１ａが接続されており、部分購入した書籍を印刷できる。書籍部分販売装置１０は、書籍出版社が運用するウェブサーバ装置４３である。専用装置４１と、ウェブサーバ装置４３は、インターネットで接続されている。部分購入した書籍を印刷する場合には、印刷会社４４に印刷発注すると、印刷機４４ａで印刷されて製本後に、印刷物４４ｂが指定の場所に納入される。
【００２６】
図５は、本発明による記事編集の説明図である。複数の記事を選択した場合には、ユーザーの嗜好にあった順序で1つの電子ファイルにまとめて、部分購入書籍として、返される。このときに、所望の記事のページを開き、必要な部分のみをドラッグすることで、画面上に枠を表示し、そしてまた、枠を変形させることで必要とする部分のみを切り出す。文字部分と画像部分に切り分け、編集テンプレートで、あらかじめ定義されたルールに従い、組版をしなおすことができる。たとえば、まず、順序の１番目の記事５０を枠で編集領域の指定をして、切り出した所望記事５１は、元書籍から切り出したそのままの体裁で出力することができる。段組の行長に揃えた文字組体裁５２ａに整えて、所望の見出し５２ｂを加える。次に、順序の１番目の記事５３を、同様に選んで、切り出した所望記事５４は、文字部分５５ａと画像部分５５ｃに切り分け、所望の見出し５５ｂを加える。ついで、１番目の編集記事５６ａと２番目の編集記事５６ａとを編集で結合する。この後に続けて配置する記事を、同様に、順次に編集して、編集記事を並べて行くことで、部分購入書籍が出来あがる。
【００２７】
図６は、本発明による表紙と広告編集の説明図である。所望の記事を集めた電子ファイルには、表紙、裏表紙、出版社による広告、最新情報や有用な情報を付加することができる。表紙は、表紙ＤＢから検索するか、購入者が所定のファイルをアップロードするかして、選択する。表紙６１には、たとえば、標題６１ａや要約文６１ｂや帯６１ｃを付けることが出来る。裏表紙６２には、たとえば、２段広告６２ａ、６２ｂを掲載することが出来る。出版社が出稿する広告や、購入者の企業広告を所定のファイルでアップロードする等して、選択する。
【００２８】
図７は、本発明による編集テンプレート例の説明図である。編集テンプレートには、記事用と表紙用が容易されている。たとえば、記事用編集テンプレートには、タテ組２段組用編集テンプレート７１、タテ組３段組用編集テンプレート７２などがある。表紙用編集テンプレートには、表紙用編集テンプレート７３や裏表紙用編集テンプレート７４などがある。
【００２９】
以上詳しく説明したように、本願発明によれば、書籍の部分購入に当っては、記事の内容を確認してから購入することが可能であり、確実の所望の記事を購入することが可能となった。また、部分購入書籍は、記事を所望の体裁に編集することで、読みやすい体裁の書籍にして、購入が可能になった。更に、広告を掲載することで、廉価な販売価格を実現できた。目的に応じて、多様なメディアで部分購入書籍の提供を実現した。つまり、部分購入書籍を少部数印刷する場合は、複写機で、容易簡便にプリントして、大量部数印刷する場合は、印刷発注して、製造コストの低減を実現した。また、部分購入書籍の内容をデジタルデータで受け取ることを実現した。
【図面の簡単な説明】
【００３０】
【図１】本発明による書籍部分購入および販売システムの構成図
【図２】本発明による書籍部分購入端末装置と書籍部分販売装置間の通信の説明図
【図３】本発明によるの書籍部分購入および販売システムのフローチャート
【図４】本発明による書籍部分購入および販売システムの装置構成例
【図５】本発明による記事編集の説明図
【図６】本発明による表紙と広告編集の説明図
【図７】本発明による編集テンプレート例の説明図
【符号の説明】
【００３１】
１０  書籍部分販売装置
１１  試読記事提供手段
１２  書籍編集手段
１３  書籍印刷手段
１４  電子書籍配信手段
１５  購入履歴登録手段
１７  推奨記事案内手段
１６  記憶手段
１６ａ  記事データ・ベース
１６ｂ  広告データ・ベース
１６ｃ  表紙データ・ベース
１６ｄ  編集テンプレートデータ・ベース
１６ｅ  購入履歴データ・ベース
１６ｆ  顧客データ・ベース
１６ｇ  部分購入書籍編集データ
１７  推奨記事通知手段
２０  書籍部分購入端末装置
２１  記事検索手段
２２  記事試読手段
２３  表紙データ登録手段
２４  購入記事選択手段
２５  表紙選択手段
２６  編集テンプレート選択手段
２７  書籍購入手段
２９  顧客情報登録手段
４１  書店店頭に設置した専用装置
４３  ウェブサーバ装置
４４  印刷会社
５０、５３  記事
５１  切り出した所望記事
５２ａ  文字組体裁
５２ｂ  所望の見出し
５５ａ  文字部分
５５ｂ  見出し
５５ｃ  画像部分
５６ａ  編集記事
６１  表紙
６１ａ  標題
６１ｂ  要約文
６１ｃ  帯
６２  裏表紙
６２ａ、６２ｂ  ２段広告
７１  タテ組２段組用編集テンプレート
７２  タテ組３段組用編集テンプレート
７３  表紙用編集テンプレート
７４  裏表紙用編集テンプレート
９１  出版社
９２  広告主
９３  印刷機／プリンタ
９４  購入者
【図１】
2006106915.tif 000003
【図２】
2006106915.tif 000004
【図３】
2006106915.tif 000005
【図４】
2006106915.tif 000006
【図５】
2006106915.tif 000007
【図６】
2006106915.tif 000008
【図７】
2006106915.tif 000009